(57)【要約】 【課題】  操作ハンドル等の操作に着目してメカ的な操作履歴も取ることができる電気錠の防犯システムを提案すること。【解決手段】  入力部、制御部、情報記憶媒体の使用履歴を記録する記憶部、電源、施・解錠機構を内蔵する錠箱、出力部を備え、建具の扉に適用される扉用電気錠の防犯システムに於いて、前記入力部は、前記錠箱に設けられた内側操作部材が回動した場合に信号を検出する少なくとも一つ以上の検出手段であり、前記制御部は、前記検出手段が拾った機械的な信号を処理して前記記憶部に機械的な操作履歴として記録し、前記出力部は、情報記憶媒体の使用履歴のみならず、機械的な操作履歴も出力することを特徴とする扉用電気錠の防犯システム。【選択図】  図１
2005048418.tif 000002
【特許請求の範囲】
【請求項１】
入力部、制御部、情報記憶媒体の使用履歴を記録する記憶部、電源、施・解錠機構を内蔵する錠箱、出力部を備え、建具の扉に適用される扉用電気錠の防犯システムに於いて、前記入力部は、前記錠箱に設けられた内側操作部材が回動した場合に信号を検出する少なくとも一つ以上の検出手段であり、前記制御部は、前記検出手段が拾った機械的な信号を処理して前記記憶部に機械的な操作履歴として記録し、前記出力部は、情報記憶媒体の使用履歴のみならず、機械的な操作履歴も出力することを特徴とする扉用電気錠の防犯システム。
【請求項２】
請求項１に於いて、錠箱内には、外側操作部材の操作に基づく信号を拾う検出手段と、内側操作部材の操作に基づく信号を拾う検出手段がそれぞれ区別して配設されていることを特徴とする扉用電気錠の防犯システム。
【請求項３】
請求項１に於いて、錠箱には、内側ハンドルハブ部材４１の軸受け部４５、外側ハンドルハブ部材４２の軸受け部４５Ａ、サムターン部材１２のサムターンダルマ５１、シリンダ部材８のシリンダダルマ５２が所要間隔離間して略縦一列状態に配設されていることを特徴とする扉用電気錠の防犯システム。
【請求項４】
請求項１又は請求項３に於いて、錠箱内には、外側ハンドル７・シリンダ錠８・内側ハンドル１１のいずれを解錠方向へ操作しても駆動するスライド駆動板１４が設けられており、また、スライド駆動板１４に連動するサムターン部材の動きを検出する検出手段が配設されおり、制御部は、該検出手段が拾った信号を処理して記憶部に記録することを特徴とする扉用電気錠の防犯システム。
【請求項５】
請求項１に於いて、錠箱内には、スライド駆動板１４は、縦方向に延伸する１枚の駆動板であり、錠箱３０の幅広側壁３６の内壁面と内外のハンドルハブ部材４１．４２との間に上下動自在に設けられており、かつ、複数個の係合部ないし被係合部が形成されていることを特徴とする扉用電気錠の防犯システム。
【請求項６】
請求項１に於いて、錠箱内には開扉信号を検出する検出手段が設けられ、制御部は、該検出手段を介して検出した開扉信号を記憶部４に記録することを特徴とする扉用電気錠の防犯システム。
【請求項７】
請求項１に於いて、制御部には、扉の開放時間をカウントする計時装置２２が電気的に接続していることを特徴とする扉用電気錠の防犯システム。
【発明の詳細な説明】
【技術分野】
【０００１】
本発明は、ホテルの客室、研究室などの扉に取付けられる扉用電気錠の防犯システムに関する。
【背景技術】
【０００２】
例えばホテルの客室の電気錠は、情報記憶媒体（施・解錠機構の施錠状態を解除するために用いられる解錠用カード）、入力部、制御部、記憶部、駆動源、施・解錠機構を内蔵する錠箱、出力部、電源などで錠前のシステムを構成している。この錠前のシステムは、「ホテルカードロック」と称され、普通一般に実施化されている。
【０００３】
しかし、従来のホテルカードロックは、記憶部に解錠用カードの使用履歴を記録し、出力部でその記録を取り出すことはできたが、内側ハンドル、サムターン部材等の操作部材に基づく機械的（メカ的）な操作履歴を記憶部から取り出すことができなかった。それは、解錠用カードは、あくまでも電気錠を解錠する手段として利用されていたからである。
【０００４】
すなわち、制御部（その判別手段・機能）は、読取り手段を介して読み取ったカードの識別コードと、予め記憶部に記録されているカードの情報とを付き合せ、識別コードと記憶部のカード情報とが一致した場合には駆動源にデッドラッチ用ロック解除の信号を送出し、一方、当該カードの挿入時間、使用履歴等を記憶部に記録するだけであった。
【０００５】
ところが、近年、アンチパニック機構を逆手に取り、扉の外側から道具を駆使して内側ハンドルを操作し、錠箱の施・解錠機構を解錠させた後に部屋に侵入する手口がある。このような特殊な道具を利用した手口で部屋に入られると、記録部には何の痕跡も残らないので、防犯対策上問題である。なお、この種の電気錠の錠箱には、閉扉時、戸枠側のストライクに進出係合した施錠片を施錠状態にする電気式施・解錠機構、該施・解錠機構が解錠用カードの挿入、制御部の信号処理等により解錠状態になった時に、前記デッドラッチを錠箱の内部に引き戻す操作ハンドル等がそれぞれ設けられている。
【特許文献１】特開平１０−４６８８４号公報
【発明の開示】
【発明が解決しようとする課題】
【０００６】
そこで、この種の電気錠を備えた防犯システムの問題点（カードの使用履歴のみ記録する）に鑑み、現在、操作ハンドル等の操作に着目してメカ的な操作履歴も取ることができる電気錠の防犯システムを提案する。解決しようとする問題点は、留守中に、泥棒が扉の外側から道具を駆使して内側操作部材を操作し、錠箱の施・解錠機構を解錠させたとしても、記憶部に機械的な操作履歴を記録し、その操作履歴をカードの使用履歴と対比して検証し、防犯対策に役立てることである。
【課題を解決するための手段】
【０００７】
本発明の扉用電気錠の防犯システムは、入力部、制御部、情報記憶媒体の使用履歴を記録する記憶部、電源、施・解錠機構を内蔵する錠箱、出力部を備え、建具の扉に適用される扉用電気錠の防犯システムに於いて、前記入力部は、前記錠箱に設けられた内側操作部材が回動した場合に信号を検出する少なくとも一つ以上の検出手段であり、前記制御部は、前記検出手段が拾った機械的な信号を処理して前記記憶部に機械的な操作履歴として記録し、前記出力部は、情報記憶媒体の使用履歴のみならず、機械的な操作履歴も出力することを特徴とする。
【０００８】
上記構成に於いて、錠箱内には、外側操作部材の操作に基づく信号を拾う検出手段と、内側操作部材の操作に基づく信号を拾う検出手段がそれぞれ区別して配設されていることを特徴とする。また錠箱には、内側ハンドルハブ部材４１の軸受け部４５、外側ハンドルハブ部材４２の軸受け部４５Ａ、サムターン部材１２のサムターンダルマ５１、シリンダ部材８のシリンダダルマ５２が所要間隔離間して略縦一列状態に配設されていることを特徴とする。
【０００９】
また、錠箱内には、外側ハンドル７・シリンダ錠８・内側ハンドル１１のいずれを解錠方向へ操作しても駆動するスライド駆動板１４が設けられており、また、スライド駆動板１４に連動するサムターン部材の動きを検出する検出手段が配設されており、制御部は、該検出手段が拾った信号を処理して記憶部に記録することを特徴とする。
【００１０】
また錠箱内には、スライド駆動板１４は、縦方向に延伸する１枚の駆動板であり、錠箱３０の幅広側壁３６の内壁面と内外のハンドルハブ部材４１．４２との間に上下動自在に設けられており、かつ、複数個の係合部ないし被係合部が形成されていることを特徴とする。
【００１１】
また錠箱内には開扉信号を検出する検出手段が設けられ、制御部は、該検出手段を介して検出した開扉信号を記憶部４に記録することを特徴とする。さらに、制御部には、扉の開放時間をカウントする計時装置２２が電気的に接続していることを特徴とする。
【発明の効果】
【００１２】
（１）操作ハンドル等の操作に着目してメカ的な操作履歴も取ることができる。換言すれば、情報記憶媒体による解錠か、それともキー等による機械的な解錠かを区別することができる。したがって、メカ的な操作履歴をカードの使用履歴と対比して検証し、防犯対策に役立てることができる。
【００１３】
（２）特に請求項１に記載の発明は、入力部は、錠箱に設けられた内側操作部材が回動した場合に信号を検出する少なくとも一つ以上の検出手段であるから、内側ハンドル又は／及びサムターン部材を、不自然にも或いは留守中に回動した場合には、この痕跡が記録部に残るから、防犯対策に非常に役立つ（例えば管理者に対して即警報音を鳴らすとか）。
【００１４】
（３）外側操作部材の操作に基づく信号を拾う検出手段と、内側操作部材の操作に基づく信号を拾う検出手段がそれぞれ区別して配設されている実施例の場合には、錠前プログラムを活用し、情報記憶媒体を利用した入出及び退出、外側操作部材を利用した入出、内側操作部材を利用した退出などの信号を検出・記録することができるから、本人或いは宿泊者が本当に入出や退出したものか否か、より確実に確認することができると共に、「入出」か、それとも「退出」かの区別も可能である。
【００１５】
（４）錠箱内に外側ハンドル７・シリンダ錠８・内側ハンドル１１のいずれを解錠方向へ操作しても駆動するスライド駆動板が設けられ、かつ、該スライド駆動板に連動するサムターン部材の動きを検出する検出手段が配設されおり、制御部は、該検出手段が拾った信号を処理して記憶部に記録する実施例の場合には、共通の信号（施錠片が後退した旨の信号）を一つの部材を介して取ることができる。
【００１６】
（５）錠箱内には開扉信号を検出する検出手段が設けられ、制御部は、該検出手段を介して検出した開扉信号を記憶部に記録する実施例を加味した場合には、不正解錠による開扉か否かをより確実に確認することができる。
【発明を実施するための最良の形態】
【００１７】
以下、図面に示す本発明を実施するための最良の形態により、本発明を詳細に説明する。図１は、電気錠の防犯システムＸの一実施例を示す。まず、説明の便宜上、防犯システムＸの流れに沿って説明する。１は情報記憶媒体である。情報記憶媒体は、その形態如何は問わないが、例えば解錠用カードが用いられる。解錠用カード１には、当該カードを識別するための符号化コード（以下、「識別コード」と称する。）が担持されている。
【００１８】
解錠用カード１は、電気錠の施錠片としてのデッドラッチを自由にするために用いられる。デッドラッチは、扉を閉めた時に、ロッキングピース、駆動源等で構成されている単数又は複数の施・解錠機構によってロックされる。したがって、解錠用カード１は、施・解錠機構の施錠状態を解除するために用いられる。電気錠の内部構造については後述する。
【００１９】
次に、２は情報記憶媒体１に担持されている識別コードを読み取る読取り手段、３は各種の信号を処理する制御部（中央処理装置）である。読取り手段２はカードリーダであり、また制御部３はマイクロコンピュータ（ＣＰＵ）である。
【００２０】
次に４は制御部３がアクセスする記憶部である。この記憶部４には、例えば情報記憶媒体１の識別コード・情報記憶媒体１の使用履歴（以下、ここではメカ的操作履歴と区別するために「カード履歴」と称する。）・単数又は複数の操作部材の操作履歴・電気錠に必要な錠前プログラム等を記憶格納する。本実施例では、少なくも外側操作部材の操作に基づく検出信号と、内側操作部材の操作に基づく検出信号とを区別して拾う。
【００２１】
次に５は読取り手段２を介して読み取った解錠用カード１の識別コードと、予め記憶部に記録されているカードの情報とを付き合せ、識別コードと記憶部のカード情報とが一致するか否か、制御部３が受け取った信号が不正な信号か否か、開扉時間が設定時間をオーバーしたか否かなどを照合判別する照合判別手段である。
【００２２】
次に６は制御部３からロック解除の信号（ａ）を受け取った時、駆動源の駆動力によりロッキングピースをロック解除の方向へ揺動させる施・解錠機構である。この施・解錠機構６のロッキングピースが解錠方向へ作動すると、本実施例では、錠箱に設けられた外側ハンドル７、シリンダ錠８等の外側操作部材の操作が可能になる。
【００２３】
錠箱には単数又は複数個の信号検出手段（本実施例では合計５個）が設けられているが、ここでは、外側ハンドル７を操作した旨の信号を検出するマイクロスイッチを第１検出手段９、シリンダ錠８の内筒体を操作した旨の信号を検出するマイクロスイッチを第２検出手段１０とする。外側ハンドル７又はシリンダ錠８を操作して施錠片を後退させた場合には、それぞれの検出信号（ｂ）、（ｃ）が制御部３を介して記憶部４のファイル装置に記録される。
【００２４】
次に１１は内側ハンドル、１２はサムターン部材である。前記外側ハンドル７やシリンダ錠８は、室外から操作する外側操作部材であるのに対し、内側ハンドル１１やサムターン部材１２は、室内から操作する内側操作部材である。本実施例では、ホテルに宿泊したお客が外出中に、不自然或いは不正にも内側操作部材が操作された旨の信号を取るために、例えば内側ハンドル１１を操作した旨の信号を検出するマイクロスイッチを第３検出手段１３とする。内側ハンドル１１を操作して施錠片を後退させた場合には、その検出信号（ｄ）が制御部３を介して記憶部４のファイル装置に記録される。
【００２５】
ところで、本実施例では、錠箱内に複数個の被係合部を有するスライド駆動板１４を内装し、このスライド駆動板１４が駆動すると、前述したサムターン部材１２が揺動し、その結果、施錠片（デッドラッチ）が解錠（後退）した旨の信号（ｅ）を検出するマイクロスイッチを第４検出手段１５とする。なお、１６は図示しない制御箱に内蔵された電源である。
【００２６】
スライド駆動板１４の具体的構成は後述するが、本実施例のスライド駆動板１４は、外側ハンドル７・シリンダ錠８・内側ハンドル１１のいずれを解錠方向へ操作しても駆動する。したがって、制御部３は、外側ハンドル７・シリンダ錠８・内側ハンドル１１のいずれかの操作に起因してスライド駆動板１４が駆動し、これに連動してサムターン部材１２が揺動した場合には、その検出信号（ｅ）が制御部３を介して記憶部４のファイル装置にそれぞれ記録される。
【００２７】
加えて、本実施例では、扉２０を開いた旨の信号を検出するマイクロスイッチを第５検出手段２１とする。２２は計時装置で、この計時装置２２は扉２０を開いた場合に、扉の開放時間をカウントする。制御部３は、カウント値を読み込むことが可能であると共に、該計時装置２２のカウント値をリセットすることもできる。
【００２８】
本実施例では、制御部３は、第５検出手段２１を介して検出した開扉信号（ｆ）も記憶部４のファイル装置に記録する。また、錠前プログラムに解錠時間が設定されており、解錠時間がオーバーした時に、前述した照合判別手段５が開扉状態か否かを確認した後に自動的にロック信号（ｇ）を施・解錠機構に送信し、ロッキングピースを介して施錠片を施錠する。
【００２９】
最後に、２３は制御部３に電気的に接続する出力部である。制御部３は入力信号を照合判別手段５に判別させるが、仮に照合判別手段５が当該信号を不正な解錠信号であると判断した場合には、出力部の報知器２４に警報音を発生させることができるように制御する。また、出力部２３は表示部２５やプリンタ２６を備えている。したがって、管理者は、表示部２５やプリンタ２６を介して、情報記憶媒体１の使用履歴のみならず、メカ的な操作履歴もみることができる。
【００３０】
なお、特に図示しないが、閉扉時、施・解錠機構６の施錠信号及び解錠信号を拾うためにマイクロスイッチを駆動源（ソレノイド）の作動杆に関連付けて適宜に設けている。また、トリガーと称される進退動部材の動きを利用して閉扉信号を拾うマイクロスイッチも適宜に設けられている。
【００３１】
次に、図２乃至図１０を参照にして、電気錠の防犯システムＸを説明する。図２は全体の環境システムを扉との関係で示す。２０は建具の扉で、この扉２０の自由端部の内部空間又は内壁面には、電気錠の錠箱３０が固定的に取付けられている。一方、３１は扉用の開口枠で、この開口枠３１には、前記錠箱３０に対応して受け金具３２が固定的に設けられている。本実施例では受け金具３２の適宜箇所（例えば下部）に第１永久磁石３３が固定されている。
【００３２】
錠箱３０の細部の構成については割愛しているが、錠箱３０には、組み込まれる各部材を案内するためのガイド孔、ガイド突起、窓などが形成されている。例えば、フロント３４には、進退動部材（通称「トリガー」）用の小孔、デッドボルト・デッドラッチ・ラッチボルトなどの施錠片用の窓、第１永久磁石３３が臨む開口などが形成されている。
【００３３】
図２では、内外のハンドルやハンドル軸受け丸座（通称「エスカチオン」）等が示されている。ここでは、図２を基準にすると、１１が内側ハンドル、７が外側ハンドルである。内側ハンドル１１は長杆状のハンドル角軸３５を備えている。本実施例では、内外のレバーハンドル１１．７は、それぞれ別々に設けられている。
【００３４】
ここで錠箱３０の各部位に符号を付す。３６は幅広側壁、３７は後壁、３８は下壁、３９は上壁である。次に、本発明に関連する電気錠の主たる部材に絞って説明する。
【００３５】
（１）内外のレバーハンドル１１．７について説明する。内外のレバーハンドル１１．７は、図７で示すように、錠箱３０に縦方向に所要間隔を有して配設された内側ハンドルハブ部材４１及び外側ハンドルハブ部材４２にそれぞれ設けられている。内外のハンドルハブ部材４１．４２は、内側・外側ハンドル１１．７の各操作によって所定量回動する。４３は外側ハンドル７の角軸である。内側・外側ハンドル１１．７は、それぞれの角軸３５．４３と協働回転する。
【００３６】
（２）内外のハンドルハブ部材４１．４２について説明する。まず、図５を参照にして内側ハンドルハブ部材４１の各部位を説明する。４５は星型形状の軸孔を有する肉厚の軸受け部、４６は軸受け部の周壁の適宜部位から指先状に延びるバネ押圧部、４７は軸受け部４５の周壁の他の部位に突設された当り突起、４７ａは第３検出手段１３と当接可能に押圧突起、４８は当り突起から周方向に多少の間隔を有して前記バネ押圧部の根基部にやや弧状に突設された当り爪部、４９はバネ押圧部の先端部寄りの部位にケース身の幅広側壁３６に向かって突設された係合部としての押下げ突起である。しかして、内側ハンドルハブ部材４１の前記軸受け部４５に内側ハンドル１１の角軸３５が連係するように差し込まれる。
【００３７】
バネ押圧部４６は、錠箱３０の後壁３７にやや斜めに指向している。バネ押圧部４６の指先に相当する部分４６ａは、後述するバネ支持摺動体の頭部に圧接する。当り突起４７は圧縮コイルバネが伸長した時（ハンドルが水平状態になった時）に、錠箱３０の中心部に固定されたピン状ストッパ５０に当接する。これに対して、当り爪部４８は圧縮コイルバネが収縮した時（レバーハンドルを押し下げた時）に、前記ストッパ５０に当接する。係合部としての押下げ突起４９は、スライド駆動板１４の上端部に形成した被係合部（切欠部）に係合する。
【００３８】
一方、前記外側ハンドルハブ部材４２の前記軸受け部４５Ａに外側ハンドル７の角軸４３が連係するように差し込まれる。外側ハンドルハブ部材４２の形態（構成）は、内側ハンドルハブ部材４１のそれと同一なので、同様の符号を付し、重複する説明を省略する。したがって、４５Ａは軸受け部、４６Ａはバネ押圧部、４７Ａは当り突起、４８Ａは当り爪部（突起）、４９Ａは係合部としての押下げ突起、５０Ａは錠箱３０の中心部に固定されたピン状ストッパである。
【００３９】
（３）サムターン部材１２と、シリンダ部材８について説明する。サムターン部材１２と、シリンダ部材８は、内外のハンドルハブ部材４１．４２と同様に錠箱３０に縦方向に所要間隔を有して配設されている。本実施例では、内側ハンドルハブ部材４１の軸受け部４５、外側ハンドルハブ部材の軸受け部４５Ａ、サムターン部材１２のサムターンダルマ５１、シリンダ部材８のシリンダダルマ５２は、所要間隔離間して略縦一列状態に配設されている。
【００４０】
なお、前記サムターン部材１２には図示しないサムターン軸が連係する。また、シリンダ部材８には図示しない合鍵が差し込まれる。
【００４１】
さて、サムターン部材１２の構成について説明する。サムターン部材１２は、サムターンダルマ５１、該サムターンダルマに一体的に設けられた施錠片用引き戻し片５３を有する。引き戻し片５３は、例えば左手の親指と人差し指を開いたイメージを彷彿させる形状に形成されている。すなわち、５４は親指状の第１係合部で、この第１係合部５４は、スライド駆動板１４の駆動突起と係合可能である。一方、施錠片の方向に延伸する人差し指状の第２係合部５５は、先端部に施錠片の傾斜状案内長孔と係合するピン状の引寄せ駆動部５６を有している。
【００４２】
一方、シリンダ部材８のシリンダダルマ５２には、一端部にスライド駆動板１４に係合する第１係合部５７を、他端部に第２検出手段１０の可動接片に対して押圧する第２係合部５８をそれぞれと有する。
【００４３】
（４）スライド駆動板１４について説明する。１枚のスライド駆動板１４は、縦方向に延伸し、錠箱３０の幅広側壁３６の内壁面と内外のハンドルハブ部材４１．４２との間に上下動自在に設けられている。スライド駆動板１４は、本実施例では錠箱３０の幅広側壁３６及び後述のバネ支持固定体の一側壁等に案内される。スライド駆動板１４には、複数個の係合部ないし被係合部が形成されている。
【００４４】
すなわち、垂直の幅広板部１４ａの上端部の適宜箇所には、内側のハンドルハブ部材４１の押下げ突起４９が係合する切欠状の被係合部６０が形成されている。また、垂直幅広板部１４ａの中央部には、外側ハンドルハブ部材４２のバネ押圧部４６Ａの押し下げ突起４９Ａと係合する被係合部（切欠窓、係合面、係合突起など）６１が形成されている。また、６２は垂直幅広板部１４ａの下端部の左側端面に形成された係合駆動部（端面や突起）で、この係合駆動部６２はサムターン部材１２の引き戻し片５３の第1係合部５４に係合可能である。
【００４５】
さらに、スライド駆動板１４は、その幅広中央部１４ａから下方へと伸長する細長状のアーム部１４ｂを有し、該アーム部１４ｂの下部には、一部逃がし用小切欠を有する被係合受部（例えば水平板部）６３が設けられている。この被係合受部６３に、シリンダダルマ５２の突起状第１係合部５７が係合する。加えて、細長状アーム部１４ｂの適宜部位には、バネ端部用の受けピン６４が設けられている。また、幅広中央部１４ａには、ストッパ５０と係合可能な親指状の係合部６５が形成されている。スライド駆動板１４は、錠箱３０の幅広側壁３６の下端部に固定した固定案内軸６７に中央部が設けられた駆動板用復帰バネ６８に付勢されている。
【００４６】
（５）バネ支持固定体７１と圧縮コイルバネについて説明する。１個のバネ支持固定体７１は、比較的長いケース枠状に形成され、錠箱３０の後壁３７に沿うように該錠箱に適宜固定されている。バネ支持固定体７１は、上方と下方に離間した底壁に相当するバネ端支持壁７２．７２と、上下の開口７３．７３を有している。
【００４７】
一方、前記上下のバネ端支持壁７２．７２に下端がそれぞれ支持された上下二個の圧縮コイルバネ７４．７４は、前記上下の開口７３．７３の収納部にそれぞれ組み込まれている。
【００４８】
ところで、本実施例では、前記バネ支持固定体７１に対して合計2個の可動バネ支持体７５が設けられている。各可動バネ支持体７５．７５は、内外のハンドルハブ部材４１．４２の指先４６ａ．４６ａがそれぞれ圧接するキャップ状の頭部と、この頭部の４つの角部から延伸しかつバネ支持固定体７１の内部空間にそれぞれ差し込まれた複数本の摺接スポークとから成る。摺接スポークは、ハンドルハブ部材４１．４２の回動に対応してバネ支持固定体７１の上下のケース枠状の内壁に案内される。
【００４９】
したがって、二個の圧縮コイルバネ７４．７４は、上下の可動バネ支持体７５．７５を介して、内外のハンドルハブ部材４１．４２の各指先状バネ押圧部４６．４６Ａにそれぞれ個別的に押し下げられる。
【００５０】
（６）第１乃至第５検出手段
図３を参照にして第1乃至第５検出手段を説明する。本実施例の各検出手段は、可動接片或いは可動子を有するマイクロスイッチを採用し、検出しようとする各部材に対してそれぞれ適宜に配設されている。まず、前述した符号９は、外側ハンドル７の機械的操作を検出する第１検出手段で、この第１検出手段９の可動子は外側ハンドルハブ部材４２のバネ押圧部４６Ａの側壁と当接可能である。
【００５１】
次に、符号１０はシリンダ部材８の第２係合部５８と当接可能な第２検出手段で、この第２検出手段１０は合鍵等の操作によって駆動するシリンダ部材８の機械的操作を検出する。
【００５２】
次に符号１３は内側ハンドル１１の機械的操作を検出する第3検出手段で、この第3検出手段１３の可動接片は内側ハンドルハブ部材４１の押圧突起４７ａと当接可能である。
【００５３】
次に符号１５はサムターン部材１２のサムターンダルマ５１と接触可能な第4検出手段で、この第4検出手段１５は、前出したように、外側ハンドル７、シリンダ錠８、内側ハンドル１１のいずれかの操作に起因してスライド駆動板１４が駆動し、これに連動してサムターン部材１２が揺動した場合の機械的信号を検出する。
【００５４】
そして、符号２１は、後述する施錠片保持機構の揺動片と当接する第5検出手段で、この第5検出手段２１は、開扉信号を検出する。
【００５５】
なお、本発明は、特に部屋を留守している間に、操作部材、例えば内側ハンドル７の機械的操作をした旨の信号を少なくとも一つ以上の検出手段で拾うことができれば良いから、第1乃至第５検出手段の全ては、本発明の特定要件ではない。好ましくは、外側操作部材用の検出手段と、内側操作部材用の検出手段をそれぞれ１個以上設けると良い。
【００５６】
次に、図４を参照にして本発明の付加的構成要件について説明する。
【００５７】
（あ）まず施錠片７７について説明する。施錠片７７は、錠前の構造如何によってはラッチボルトでもいいが、本実施例では、電気錠の機能を考慮し、デッドラッチを採用している。７８は閉戸（閉扉）時にフロント３４の窓から突出する係合頭部、７９は錠箱内に常時位置する連設部である。連設部７９には、特に符号を付さないが、下方に延伸する対向側壁が設けられている。係合頭部７８は、図１で示すように多少斜めに形成されている。
【００５８】
係合頭部７８に連設する箱状連設部７９は空洞である。連設部７９の幅広側壁と対向する向こう側の対向側壁には、傾斜案内長孔８０が形成され、該案内長孔８０にサムターン部材１２の駆動部５６が係合する。
【００５９】
一方、連設部７９の手前側の対向側壁の下端部には、ラック状の歯車列８１が形成され、該歯車列には、施錠片保持機構の制御歯車が噛合する。
【００６０】
施錠片７７は、水平案内棒８２に案内される。前記水平案内棒８２は、錠箱３０の中央部に固定された小支持板に後端部がカシメ固定され、かつ、先端部は前記箱状連設部の支持孔を貫通する。そして、施錠片７７は、水平案内棒８２に巻装された施錠片用の付勢バネで突出方向に付勢されている。
【００６１】
（い）次に、施錠片保持機構８５について説明する。この施錠片保持機構８５は、本発明の付加的要件である。施錠片保持機構８５は扉２０を開いた時に施錠片７７の後退状態を保持する。この施錠片保持機構８５は、施錠片７７の下方に配設され、本実施例では、受け金具３２側の第１永久磁石３３と、この第１永久磁石３３の極性に反発する第２永久磁石８６を有し、かつ、固定軸８７に軸支された揺動片８８と、この揺動片８８の他端部に設けられ、かつ、前記施錠片７７の歯車列８１と噛合する制御歯車（例えばピニオン）８９に係脱する係合爪片９０と、前記揺動片８８を常時係合する方向へ付勢する保持バネ９１とから成る。
【００６２】
図２で示すように、第１永久磁石３３と開口１３を介して対峙する第２永久磁石８６は、施錠時に極性（例えばＮ極とＮ極）に対応して反発するので、揺動片８８の係合爪片９０は、ピニオン８９から離れているが、扉１を開いた時には、前記第２永久磁石８６は第１永久磁石３３から離れるので、揺動片８８は保持バネ９１により係合する方向へと回転する。その結果、前記係合爪片９０がピニオン８９に係合するので、施錠片７７の後退状態が保持機構の構成部材８５によって保持される。
【００６３】
（う）施錠片用の第１施・解錠機構９５
この９５は、本発明の付加的要件である。第１施・解錠機構９５は、閉戸時、突出した施錠片７７を直接的に施錠することができるように、施錠片７７の上方に配設されている。施錠片７７を施錠する手段は色々と考えられるが、構成する部品点数を少なくする一例として、受け金具３２側（ストライク又は戸枠）に衝突して錠箱内に後退動する進退動片（通称「トリガー」）９６と、この進退動片９６が後退動によって先端部の係合部９７が施錠片７７の連設部７９に係合する第１のロッキングピース９８と、この第１のロッキングピース９８を軸支する枢軸９９に中央部が巻装され、かつ、該ロッキングピース９８を常時係合解除の方向へと付勢する解錠バネ１００とから成る。
【００６４】
（え）施錠片用の第２施・解錠機構６
この第１施・解錠機構６の駆動源は、電気錠に必要な構成要件である。この第２施・解錠機構６は、駆動源（ソレノイド）１０１の作動杆１０２に一端部（上端部）が軸支され、かつ、中央部（中央部寄りの部位も含まれる）が錠箱３０の固定枢軸１０３に軸支されていると共に、その他端部（下端部）が外側ハンドルハブ部材４２の当り突起４７Ａに係合する第２のロッキングバー１０４を備えている。したがって、施錠片７７は、外側ハンドルハブ部材４２の施錠を介して間接的にロックされる。
【００６５】
（お）その他
その他補足説明をすると、サムターン部材１２は、スライド駆動板１４に関係なく単独で回動することができる。つまり、図示しないサムターンの摘み部を施・解錠方向へ回した場合には、スライド駆動板１４に関係なく、サムターン部材１２は施錠方向又は解錠方向へと回転する。その結果、デッドラッチ７７は進退動する。この時、第４検出手段１５により、スライド駆動板１４が下降した場合と同様に信号を拾うことができる。
【００６６】
次に、本発明の作用について説明する。まず、防犯システムＸの電気錠の施錠信号と解錠信号の流れを簡単に説明する。扉２０を閉めると、進退動部材９６等の動きを利用して閉扉信号を受け取った制御部３は、第２の施・解錠機構６の駆動源１０１に対して施錠信号（ｇ）を送信し、受け金具３２に係合している施錠片（例えばデッドラッチ）７７を施錠する。
【００６７】
上記のような施錠状態に於いて、解錠用カード１を読み取り装置２に差し込むと、制御部３は、照合判別手段５の判定へ経た後、施・解錠機構６の駆動源に対して解錠信号（ａ）を送信する。そうすると、施・解錠機構６はロッキングピース１０４をロック解除の方向へ駆動する。本実施例では、施・解錠機構６の駆動源は、ソレノイドが用いられているから、前記施錠信号（ｇ）及び解錠信号（ａ）は、ソレノイドに対する通電又は非通電である。  このように、駆動源１０１の駆動力により、ロッキングピース１０４の係止が解消された後に、外側操作部材７．８の操作が可能となる。
【００６８】
次に図７は、検出手段との関係で、本発明の主要部の部材が作動した状態を示した説明図である（実際にはこのような図はあり得ない。説明の便宜上、各部材の動きを示している。）。例えば図８乃至図１０から理解できるように、外側操作部材７．８等の操作が可能となると、前述したように、１枚のスライド駆動板１４には、内外のハンドルハブ部材４１．４２用の被係合部６０、６１、サムターン部材１２用の係合駆動部６２、シリンダ部材８用の被係合受部６３がそれぞれ形成されているから、内側ハンドルハブ部材４１、外側ハンドルハブ部材４２、それにシリンダ部材８がそれぞれ個別的に解錠方向へ回動すると、スライド駆動板１４は下方に所定量下降し、該スライド駆動板１４に連動してサムターン部材１２が時計方向に回動する。
【００６９】
その結果、デッドラッチ７７は後退する。その時、前述したように第1乃至第4検出手段は、それぞれ信号を検出し、検出された各信号は、制御部３に送信され、かつ、記憶部４に機械的な操作の履歴として記録される。
【００７０】
敷衍すると、例えば第１各検出手段９及び第２検出手段１０は、それぞれの操作部材７、８に対応して操作信号（ｂ）、（ｃ）を検出する。また、スライド駆動板１４が下方方向へ移動すると、サムターン部材１２が揺動してデッドラッチが錠箱内へと引き戻されるが、サムターン部材１２が揺動すると、デッドラッチが錠箱内へと後退した旨の信号（ｅ）が、第４検出手段１５により検出される。
【００７１】
一方、第３検出手段１３は、内側ハンドル１１を操作した場合に、それに対応して操作信号（ｄ）、（ｃ）を検出する。この時、スライド駆動板１４が下方方向へ移動するから、サムターン部材１２が揺動してデッドラッチが錠箱内へと引き戻される。したがって、外側操作部材７、８の場合と同様にデッドラッチが錠箱内へと後退した旨の信号（ｅ）が検出される。
【００７２】
さらに、本実施例では、扉２０を開いた場合には、後退したデッドラッチ７７は保持機構を構成する部材８５によって保持されるが、この時、開扉又は閉扉信号は、第5検出手段２１によって検出され、該検出信号は、制御部３を介して記憶部４に履歴として記録される。
【実施例】
【００７３】
本発明の実施例は、最良の形態として、内側ハンドルハブ部材４１の軸受け部４５、外側ハンドルハブ部材４２の軸受け部４５Ａ、サムターン部材１２のサムターンダルマ５１、シリンダ部材８のシリンダダルマ５２が所要間隔離間して略縦一列状態に配設されている電気錠に適用したが、この最良の形態に限定するものではない。
【００７４】
例えば内外のハンドルをそれぞれ押し下げると、バネ部材のバネ力に抗して所定量回転するハンドルハブ部材を有する錠前のハンドル装置を有する電気錠に適用し、外側操作部材を操作することにより内側操作部材が回動し、該回動の信号を検出する少なくとも一つ以上の検出手段が設けられている実施例も、本発明の射程距離に含まれる。
【産業上の利用可能性】
【００７５】
本発明は、主にホテルの客室、研究所の研究室、高層マンションなどの扉に取付けられる扉用電気錠を製造、販売、展示する錠前業界で利用される。
【図面の簡単な説明】
【００７６】
図１乃至図１０は本発明の一実施例を示す各説明図。
【図１】本発明の構成を示すブロック図。
【図２】本発明の電気錠の実施環境の概略説明図。
【図３】電気錠の内部構造の一例を示す概略説明図（特に主要部を示す）。
【図４】電気錠の内部構造を示す概略説明図。
【図５】検出手段に関係する主要部材の概略説明図。
【図６】スライド駆動板の斜視図。
【図７】主要部の部材と検出手段との関係を便宜上示した説明図。
【図８】外側ハンドルハブ部材が回動した場合の説明図。
【図９】シリンダ部材が回動した場合の説明図。
【図１０】内側ハンドルハブ部材が回動した場合の説明図。
【符号の説明】
【００７７】
Ｘ…防犯システム、１…記憶媒体、２…読取り手段、３…制御部、４…記憶部、５…照合判別手段、６．９５…施・解錠機構、７…外側ハンドル、８…シリンダ部材、９…第１検出手段、１０…第２検出手段、１１…内側ハンドル、１２…サムターン部材、１３…第３検出手段、１４…スライド駆動板、１４ａ…幅広板部、１４ｂ…細長状アーム部、１５…第４検出手段、２０…扉、２１…第５検出手段、２２…計時装置、２３…出力部、２４…報知器、２５…表示部、２６…プリンタ、３０…錠箱、３１…開口枠、３２…受け金具、３３…第１永久磁石、３４…フロント、３６…幅広側壁、３７…後壁、３４．４３…角軸、４１…内側ハンドルハブ部、４２…外側ハンドルハブ部材、４５．４５Ａ…軸受け部、４６．４６Ａ…バネ押圧部、４７．４７Ａ…当り突起、４８．４８Ａ…当り爪部、４９．４９Ａ…押下げ突起、５０．５０Ａ…ストッパ、５１…サムターンダルマ、５２…シリンダダルマ、５３…引き戻し片、５４．５７…第１係合部、５５．５８…第２係合部、６０．６１．６３…被係合部、６２…係合駆動部、６５…係合部、６４…受けピン、７１…バネ支持固定体、７２…上下のバネ端支持壁、７３…上下の開口、７４…圧縮コイルバネ、７５…可動バネ支持体、７７…施錠片、７８…係合頭部、７９…連設部、８０…案内長孔、８１…歯車列、８２…水平案内棒、８５…施錠片保持機構、８６…第２永久磁石、８８…揺動片、８９…制御歯車、９１…保持バネ、９６…進退動片、９８…第１のロッキングピース、１０１…駆動源、１０２…作動杆、１０４…第２のロッキングピース。
【図１】
2005048418.tif 000003
【図２】
2005048418.tif 000004
【図３】
2005048418.tif 000005
【図４】
2005048418.tif 000006
【図５】
2005048418.tif 000007
【図６】
2005048418.tif 000008
【図７】
2005048418.tif 000009
【図８】
2005048418.tif 000010
【図９】
2005048418.tif 000011
【図１０】
2005048418.tif 000012